【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
光軸と平行な第１断面において、光源からの光束を分割し、該分割された光束を用いて第１光源像領域内に複数の第１光源像を形成し、該複数の第１光源像からの光束を被照明面に導き、前記光軸と平行でかつ前記第１断面と垂直な第２断面において、前記光源からの光束を分割し、該分割された光束を用いて第２光源像領域内に複数の第２光源像を形成する少なくとも１つの光学素子アレイを有し、該複数の第２光源像からの光束を該照明光学系の光軸に対して傾けて配置された偏光分離面を介して、前記被照明面に導く照明光学系であって、
前記偏光分離面の法線と前記第２断面とが平行であり、
前記第１断面内における前記第１光源像領域の幅が、前記第２断面内における前記第２光源像領域の幅よりも広いことを特徴とする照明光学系。
【請求項２】
前記第１光源像領域の幅Ｗ１と前記第２断面内における前記第２光源像領域の幅Ｗ２が
Ｗ２／Ｗ１＜０．８
を満足することを特徴とする請求項１に記載の照明光学系。
【請求項３】
前記第２の光源像領域よりも光源側に配置され、前記第２断面内における前記光源からの光束の光束幅を圧縮するアフォーカル光学系を有することを特徴とする請求項１又は２に記載の照明光学系。
【請求項４】
前記アフォーカル光学系は、前記第１断面、及び前記第２断面において、前記光源からの光束の光束幅を圧縮することを特徴とする請求項３に記載の照明光学系。
【請求項５】
前記アフォーカル光学系は、光源側から順に、
前記第２断面において正の屈折力を有する第１の光学素子と、
前記第２断面において負の屈折力を有する第２の光学素子を有することを特徴とする請求項３又は４に記載の照明光学系。
【請求項６】
前記第１の光学素子と前記第２の光学素子との間に、前記第１断面において負の屈折力を有する光学素子を有することを特徴とする請求項５に記載の照明光学系。
【請求項７】
複数の光学素子を有し、前記第１断面内において前記光源からの光束を分割する第１前側光学素子アレイと、
前記第１前側光学素子アレイの複数の光学素子に対応する複数の光学素子を有し、前記第１前側光学素子アレイからの光を受ける第１後側光学素子アレイと、
複数の光学素子を有し、前記第２断面内において前記光源からの光束を分割する第２前側光学素子アレイと、
前記第２前側光学素子アレイの複数の光学素子に対応する複数の光学素子を有し、前記第２前側光学素子アレイからの光を受ける第２後側光学素子アレイを有し、
前記光学素子アレイは、前記第１前側光学素子アレイと、前記第２前側光学素子アレイであり、
前記光源と前記第２後側光学素子アレイとの間に配置され、前記第２断面内における前記光源からの光束の光束幅を圧縮するアフォーカル光学系を有することを特徴とする請求項１又は２に記載の照明光学系。
【請求項８】
前記第１前側光学素子アレイ、前記第１後側光学素子アレイ、前記第２前側光学素子アレイ、前記第２後側光学素子アレイを構成する光学素子が、シリンドリカルレンズであることを特徴とする請求項７に記載の照明光学系。
【請求項９】
複数の光学素子を有し、前記第１断面、及び第２断面内において前記光源からの光束を分割する第１前側光学素子アレイと、
前記第１前側光学素子アレイの複数の光学素子に対応する複数の光学素子を有し、前記第１前側光学素子アレイからの光を受ける第１後側光学素子アレイを有し、
前記光学素子アレイは、前記第１前側光学素子アレイであり、
前記光源と前記第１後側光学素子アレイとの間に配置され、前記第２断面内における前記光源からの光束の光束幅を圧縮するアフォーカル光学系を有することを特徴とする請求項１又は２に記載の照明光学系。
【請求項１０】
複数の光学素子を有し、前記第１断面、及び第２断面内において前記光源からの光束を分割し、前記第２断面において正の屈折力を有する第１前側光学素子アレイと、
前記第１前側光学素子アレイの複数の光学素子に対応する複数の光学素子を有し、前記第１前側光学素子アレイからの光を受け、前記第２断面において負の屈折力を有する第１後側光学素子アレイとを有し、
前記光学素子アレイは、前記第１前側光学素子アレイであることを特徴とする請求項１又は２に記載の照明光学系。
【請求項１１】
前記第１前側光学素子アレイ、前記第１後側光学素子アレイを構成する光学素子は、偏心レンズを含むことを特徴とする請求項１０に記載の照明光学系。
【請求項１２】
光源からの光を、照明光学系の光軸に対して傾けて配置された偏光分離面を介して被照明面に導く照明光学系であって、
前記偏光分離面の法線及び前記照明光学系の光軸に平行な断面を第２断面、該第２断面と垂直で前記光軸に平行な断面を第１断面とするとき、
前記光源側から順に、前記第１断面内において屈折力を有する複数のシリンドリカルレンズを有する第１前側シリンドリカルレンズアレイ、前記第１断面内において屈折力を有する複数のシリンドリカルレンズを有する第１後側シリンドリカルレンズアレイ、前記第２断面内において屈折力を有する複数のシリンドリカルレンズを有する第２前側シリンドリカルレンズアレイ、前記第２断面内において屈折力を有する複数のシリンドリカルレンズを有する第２後側シリンドリカルレンズアレイを有し、
前記第１後側シリンドリカルレンズアレイに入射する入射光束の前記第１断面方向の光束径が、前記第２後側シリンドリカルレンズアレイに入射する入射光束の前記第２断面方向の光束幅よりも大きいことを特徴とする照明光学系。
【請求項１３】
光源からの光を、照明光学系の光軸に対して傾けて配置された偏光分離面を介して被照明面に導く照明光学系であって、
前記偏光分離面の法線及び前記照明光学系の光軸に平行な断面を第２断面、該第２断面と垂直で前記光軸に平行な断面を第１断面とするとき、
前記第１断面内において屈折力を有し、前記第１断面に平行な方向に配列された複数のレンズと、
前記第２断面内において屈折力を有し、前記第２断面に平行な方向に配列された複数のレンズと、
前記第２断面に平行な方向に配列された複数のレンズよりも光源側に配置され、前記第２断面内における光源からの光束の光束幅を圧縮するアフォーカル光学系を有し、
前記第１断面に平行な方向に配列された複数のレンズの数が、前記第２断面に平行な方向に配列された複数のレンズの数よりも多いことを特徴とする照明光学系。
【請求項１４】
光軸と平行な第１断面において、光源からの光束を分割し、該分割された光束を用いて第１光源像領域内に複数の第１光源像を形成し、前記光軸と平行でかつ前記第１断面と垂直な第２断面において、前記光源からの光束を分割し、該分割された光束を用いて第２光源像領域内に複数の第２光源像を形成する光源像形成手段と、
前記第１又は第２光源像領域よりも前記光源側に配置され、前記光源からの光束の光束幅を拡大するアフォーカル光学系を有し、
前記第１断面内における前記第１光源像領域の幅が、前記第２断面内における前記第２光源像領域の幅よりも広いことを特徴とする照明光学系。
【請求項１５】
前記光源像形成手段が、前記アフォーカル光学系を構成することを特徴とする請求項１４に記載の照明光学系。
【請求項１６】
少なくとも１つの光変調素子と、
前記光源からの光で前記少なくとも１つの光変調素子を照明する、請求項１乃至１５のいずれか１項に記載の照明光学系とを有することを特徴とする画像表示装置。
【手続補正２】
【補正対象書類名】明細書
【補正対象項目名】００１２
【補正方法】変更
【補正の内容】
【００１２】
上記課題を解決するために、本発明の照明光学系は、
光軸と平行な第１断面において、光源からの光束を分割し、該分割された光束を用いて第１光源像領域内に複数の第１光源像を形成し、該複数の第１光源像からの光束を被照明面に導き、前記光軸と平行でかつ前記第１断面と垂直な第２断面において、前記光源からの光束を分割し、該分割された光束を用いて第２光源像領域内に複数の第２光源像を形成する少なくとも１つの光学素子アレイを有し、該複数の第２光源像からの光束を該照明光学系の光軸に対して傾けて配置された偏光分離面を介して、前記被照明面に導く照明光学系であって、
前記偏光分離面の法線と前記第２断面とが平行であり、
前記第１断面内における前記第１光源像領域の幅が、前記第２断面内における前記第２光源像領域の幅よりも広いことを特徴とする。
本発明の他の一側面としての照明光学系は、
光源からの光を、照明光学系の光軸に対して傾けて配置された偏光分離面を介して被照明面に導く照明光学系であって、
前記偏光分離面の法線及び前記照明光学系の光軸に平行な断面を第２断面、該第２断面と垂直で前記光軸に平行な断面を第１断面とするとき、
前記光源側から順に、前記第１断面内において屈折力を有する複数のシリンドリカルレンズを有する第１前側シリンドリカルレンズアレイ、前記第１断面内において屈折力を有する複数のシリンドリカルレンズを有する第１後側シリンドリカルレンズアレイ、前記第２断面内において屈折力を有する複数のシリンドリカルレンズを有する第２前側シリンドリカルレンズアレイ、前記第２断面内において屈折力を有する複数のシリンドリカルレンズを有する第２後側シリンドリカルレンズアレイを有し、
前記第１後側シリンドリカルレンズアレイに入射する入射光束の前記第１断面方向の光束径が、前記第２後側シリンドリカルレンズアレイに入射する入射光束の前記第２断面方向の光束幅よりも大きいことを特徴とする。
本発明の他の一側面としての照明光学系は、
光源からの光を、照明光学系の光軸に対して傾けて配置された偏光分離面を介して被照明面に導く照明光学系であって、
前記偏光分離面の法線及び前記照明光学系の光軸に平行な断面を第２断面、該第２断面と垂直で前記光軸に平行な断面を第１断面とするとき、
前記第１断面内において屈折力を有し、前記第１断面に平行な方向に配列された複数のレンズと、
前記第２断面内において屈折力を有し、前記第２断面に平行な方向に配列された複数のレンズと、
前記第２断面に平行な方向に配列された複数のレンズよりも光源側に配置され、前記第２断面内における光源からの光束の光束幅を圧縮するアフォーカル光学系を有し、
前記第１断面に平行な方向に配列された複数のレンズの数が、前記第２断面に平行な方向に配列された複数のレンズの数よりも多いことを特徴とする。
本発明の他の一側面としての照明光学系は、
光軸と平行な第１断面において、光源からの光束を分割し、該分割された光束を用いて第１光源像領域内に複数の第１光源像を形成し、前記光軸と平行でかつ前記第１断面と垂直な第２断面において、前記光源からの光束を分割し、該分割された光束を用いて第２光源像領域内に複数の第２光源像を形成する光源像形成手段と、
前記第１又は第２光源像領域よりも前記光源側に配置され、前記光源からの光束の光束幅を拡大するアフォーカル光学系を有し、
前記第１断面内における前記第１光源像領域の幅が、前記第２断面内における前記第２光源像領域の幅よりも広いことを特徴とする。